(57)【要約】      （修正有）【課題】使用が便利で、携帯にも便利な缶詰食品の加熱装置を提供する。【解決手段】缶詰食品に適用する加熱装置であって、容器１、加熱物体２、挿穿器３、からなり、容器１は、容置空間１１を有して、缶詰食品５を容置し、容置空間１１の側辺の内容室１１１、及び、底部は、加熱物体２を容置し、挿穿器３を加熱物体２に穿入して、加熱物体２の水、及び、生石灰２２を混合して化学反応させ、高温熱の水蒸気を生成させて、水蒸気を容器１内で流動させ、缶詰食品５を、快速に加熱させる。【選択図】図１
0003115586.tif 000002
【実用新案登録請求の範囲】
【請求項１】
缶詰食品に適用する加熱装置であって、内部に前記缶詰食品を容置する容器からなり、
前記容器内部は、加熱物体を置入する容置空間を有し、前記容置空間内を穿入して、加熱物体を化学反応させる挿穿器を有し、前記容器頂部に、挿穿器が貫通する抵板を有し、前記抵板は、缶詰食品を貫通する貫通孔を有し、前記貫通孔の一側に、穿孔を穿設することを特徴とする加熱装置。
【請求項２】
前記容器の頂部外表面に、複数の複数のやけど防止凸部を有し、頂端に、係凸部を環設し、前記容器の上方は、蓋体を有し、前記蓋体の内壁頂面に、複数の抵持部を設置し、前記蓋体底端の内壁面に、複数の凸ブロックを有し、前記蓋体の側辺は、穿孔を設置し、前記挿穿器末端は、穿刺部を形成し、前記挿穿器はスプーンかフォークであることを特徴とする請求項１に記載の加熱装置。
【請求項３】
前記容器の容置空間の側辺に、前記容置空間を貫通する内容室を設置し、前記内容室は、加熱物体を容置し、且つ、前記容置空間の底部は、加熱物体を容置し、加熱物体は、水袋、及び、生石灰（酸化カルシウム）であることを特徴とする請求項１に記載の加熱装置。
【考案の詳細な説明】
【技術分野】
【０００１】
本考案は、加熱装置に関するものであって、特に、容器の空間内に、加熱物体を容置し、加熱物体により高温熱の水蒸気を生成させて、水蒸気を容器内で流動させ、快速に加熱することが出来る、使用と携帯に便利な加熱装置に関するものである。
【背景技術】
【０００２】
現代社会は、多忙で、サラリーマンは多くが外食に頼る食生活であり、コンビニエンスストアでは、多種の弁当やドリンクを販売している。寒い季節では、暖かいものが好まれ、レンジを具備している店では、温めて提供することが出来る。しかし、温めてすぐに食べるとは限らず、コンビニで加熱したとしても、食べたい時には、せっかく温めたものが、冷めているかもしれない。もし、暖かい食べ物を食べたい場合、購入した食品や飲料を温める装置が、食用する場所になければ、非常に不便である。
【０００３】
よって、業者により、中華民国特許公告第１８５２０６号で開示された「食品自動加熱装置」がある。図８は、公知の側視断面図である。図からわかるように、外層A、底層B、内覆層C、盛物盤D、水包E、生石材Fからなる。水包E、及び、生石材Fを、盛物盤D内に放置し、食品を、内覆層Cに置く。食品を置く内覆層Cは、外層Aの頂縁に懸掛され、水包E、及び、生石材Fは、内覆層C下方に位置する。加熱したい時、挿針により、外層Aの挿孔A１から穿入し、水包Eを刺破すれば、水が下方の生石材Fに流入して化学変化を生じ、熱を生成するので、内覆層Cに容置した食品が加熱できる。
【０００４】
上述のような公知の加熱装置は、上蓋がないので、食品を加熱する時、加熱する食品は、空気と接触して散熱し、加熱効果が好ましくない。また、内覆層Cは固形状の食品（米類、麺類）に適用できるが、半固形のものや液状のものには適用できず、缶詰食品の加熱には不向きである。
【特許文献１】中華民国特許公告第１８５２０６号
【考案の開示】
【考案が解決しようとする課題】
【０００５】
本考案は、缶詰食品を加熱する加熱装置を提供することを目的とする。
【課題を解決するための手段】
【０００６】
本考案の請求項１に記載の加熱装置は、缶詰食品に適用する加熱装置であって、前記缶詰食品を容置する容器からなり、前記缶詰食品を前記容器内部に密閉し、
前記容器内部は、加熱物体を置入する容置空間を有し、前記容置空間内を穿入して、加熱物体を化学反応させる挿穿器を有し、前記容器頂部に、挿穿器が貫通する抵板を有し、前記抵板は、缶詰食品を貫通する貫通孔を有し、前記貫通孔の一側に、穿孔を穿設することを特徴とする。
【０００７】
本考案の請求項２に記載の加熱装置は、請求項１の場合において、
前記容器の頂部外表面に、複数の複数のやけど防止凸部を有し、頂端に、係凸部を環設し、前記容器の上方は、蓋体を有し、前記蓋体の内壁頂面に、複数の抵持部を設置し、前記蓋体底端の内壁面に、複数の凸ブロックを有し、前記蓋体の側辺は、穿孔を設置し、前記挿穿器末端は、穿刺部を形成し、前記挿穿器がスプーンかフォークであることを特徴とする。
【０００８】
本考案の請求項３に記載の加熱装置は、請求項１の場合において、
前記容器の容置空間の側辺に、前記容置空間を貫通する内容室を設置し、前記内容室は、加熱物体を容置し、且つ、前記容置空間の底部は、加熱物体を容置し、加熱物体は、水袋、及び、生石灰（酸化カルシウム）であることを特徴とする。
【考案の効果】
【０００９】
公知技術の欠点を改善する缶詰食品の加熱装置が提供される。
【考案を実施するための最良の形態】
【００１０】
図１〜図３は、本考案の立体分解図、立体外観図、及び、側視断面図である。図からわかるように、本考案の加熱装置は、容器１、加熱物体２、及び、挿穿器３からなる。
【００１１】
容器１内部に、容置空間１１を有し、容置空間１１の側辺は、容置空間１１と連通する内容室１１１を有する。容器１の頂部外表面に、複数のやけど防止凸部１１２を有し、更に、容器１の頂端に、係凸部１１３を環設する。容器１の頂部は、抵板１２を設置し、且つ、抵板１２は、貫通孔１２１を設置する。貫通孔１２１の一側は、穿孔１２２を穿設する。
【００１２】
加熱物体２は、水袋２１、及び、生石灰（酸化カルシウム）２２からなり、水袋２１は、内容室１１１内に放置され、生石灰２２は、容置空間１１１底部に放置される。
【００１３】
挿穿器３は、抵板１２側辺の穿孔１２２に穿入でき、挿穿器３末端は、穿刺部３１を形成する。
【００１４】
上述の素子を組み立てるとき、生石灰２２を容器１の容置空間１１底部に放置し、水袋２１を内容室１１１内に放置し、更に、抵板１２を容器１頂部に置入し、最後に、挿穿器３末端を、抵板１２側辺の穿孔１２２に穿入して、挿穿器３頂部が、穿孔１２２上に定位して、組み立てが完成する。容器１上方に、蓋体４を有し、蓋体４の内壁頂面は、複数の抵持部４１を設置し、蓋体４底端の内壁面に、複数の凸ブロック４２を有する。蓋体４の側辺は、穿孔４２を設置する。
【００１５】
図４、及び、図５は、本考案の使用時の側視断面図、及び、使用後の側視断面図である。図からわかるように、本考案の加熱装置は、使用時に、加熱したい缶詰食品５を抵板１２の貫通孔１２１に穿過させて、容器１の容置空間１１内に置入し、缶詰食品５は、丁度、生石灰２２上方に位置し、蓋体４が容器１上方を覆い、蓋体４の複数の凸ブロック４２は、丁度、容器１頂端の係凸部１１３に抵接して、緊密な係合を形成すると共に、蓋体４頂部の抵持部４１が、缶詰食品５の頂端に抵止し、缶詰食品５が、容置空間１１内に、安定して放置される。加熱したいとき、挿穿器３末端を、蓋体４側辺の穿孔４２に穿入させ、更に、抵板１２の穿孔１２２を穿過し、挿穿器３末端の穿刺部３１が、水袋２１を刺破し、この時、水袋２１内部の水が、容器１内壁面をつたって、容置空間１１底部に流入し、水と容置空間１１底部の生石灰２２が混合して化学反応を起こして熱を発生し、熱量が水蒸気にして、水蒸気が、容器１の容置空間１１内で自由に流動し、その上の缶詰食品５を加熱する。加熱終了後、缶詰食品５を取り出して食用する。抵板１２の抵止により、使用者は直接、容器１を握持して飲用すればよく、水蒸気は漏れてこないので、やけどの恐れはない。
【００１６】
図６は、本考案のもう一つの実施例による側視断面図で、図から分かるように、本考案の容器１頂部は、抵板１２がなく、蓋体４がある形式で、加熱終了後、蓋体４を開いて、更に、缶詰食品５を、容器１の容置空間１１から取り出して、飲用できるので、非常に便利である。更に、本考案は、必要に応じて、容器１と抵板１２に、蓋体４を合わせて使用したり、或いは、容器１と抵板１２だけで形成したり、又は、容器１に蓋体４を合わせた形式を選択することが出来る。また、蓋体４内部の内容室１１１上方に相対する空間は、副食を置放することが出来、実用性を向上させる。
【００１７】
図７は、本考案のもう一つの実施例の側視断面図で、図から分かるように、本考案の蓋体４は、容器１の開口に平貼でき、蓋体４は、抵板１２のような功能を有する。また、凸ブロック４３が、容器１の係凸部１１３を抵接して、容器１上方に蓋合し、これにより、製造コストを減少させることができる。
【００１８】
本考案の長所は以下の通りである。
（１） 容器１内部に、食品５、及び、加熱物体２を放置する容置空間１１を設置し、更に、挿穿器３により、加熱物体２の水袋２１を刺破して、加熱物体２と化学反応を生じさせて、食品を加熱する目的を達成する。
（２） 本考案の挿穿器３は、スプーンやフォークでもよく、末端に、水袋２１を刺破することができるような穿刺部３１を形成していればよい。挿穿器３がスプーンのとき、コーンスープやお粥などの液状の食品を食用することが出来る。これにより、スプーンを挿穿器３として使用する場合、挿穿器３を別途に増設する必要がないので、製造コストを減少させ、実用性を向上させる。
（３） 本考案の容器１の頂部外表面に、複数のやけど防止凸部１１３を設置し、容器１の外部が過熱するのを防止し、使用者が容器１を取り出すとき、やけどする危険性を回避する。
（４） 本考案の加熱物体２は、使用終了後、容器１から取り出して遺棄でき、未使用の加熱物体２を容器１の容置空間１１内に置入することが出来る。
（５） 本考案の蓋体４は、使用者の需要に応じて、設置してもしなくてもよく、蓋体４は、穿孔４３を有しても、なくてもよい。
【００１９】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００２０】
【図１】本考案の立体分解図である。
【図２】本考案の立体外観図である。
【図３】本考案の側視断面図である。
【図４】本考案の使用時の側視断面図である。
【図５】本考案の使用後の側視断面図である。
【図６】本考案のもう一つの実施例を示す側視断面図である。
【図７】本考案の更に、もう一つの実施例を示す側視断面図である。
【図８】公知の側視断面図である。
【符号の説明】
【００２１】
１…容器
１１…容置空間
１２…抵板
１１１…内容室
１２１…貫通孔
１１２…やけど防止凸部
１２２…穿孔
１１３…係凸部
２…加熱物体
２１…水袋
２２…生石灰（酸化カルシウム）
３…挿穿器
３１…穿刺部
４…蓋体
４１…抵持部
４２…凸ブロック
４３…穿孔
５…缶詰食品
A…外層
A1…挿孔
B…底層
C…内覆層
D…盛物盤
E…水包
F…生石材
【図１】
0003115586.tif 000003
【図２】
0003115586.tif 000004
【図３】
0003115586.tif 000005
【図４】
0003115586.tif 000006
【図５】
0003115586.tif 000007
【図６】
0003115586.tif 000008
【図７】
0003115586.tif 000009
【図８】
0003115586.tif 000010